(57)【要約】      （修正有） 【課題】外出時に、脱いだ上衣が邪魔になるのを防止して極めて便利に活用できるバッグに転用できる上衣を提供する。【解決手段】バッグに転用できる上衣は、体の胴体部分を被覆する胴部１と、この胴部１の上部の両側に連結されて腕を挿通する袖部２とを有する。胴部１は、下部の横断面に沿って紐８を配設している。この上衣は、脱いだ状態において、紐８の両端を引っ張って胴部１の下部を絞る状態で閉塞して落下防止部１３を形成し、胴部１の内部を収納スペースとして収納物を収納する。【選択図】図８
0003103723.tif 000002
【実用新案登録請求の範囲】
【請求項１】
体の胴体部分を被覆する胴部(1)と、この胴部(1)の上部の両側に連結されて腕を挿通する袖部(2)とを有する上衣であって、
胴部(1)は、下部の横断面に沿って紐(8)を配設しており、
上衣を脱いだ状態において、この紐(8)の両端を引っ張って胴部(1)の下部を絞る状態で閉塞して落下防止部(13)を形成し、胴部(1)の内部を収納スペースとして収納物を収納することを特徴とするバッグに転用できる上衣。
【請求項２】
体の胴体部分を被覆する胴部(1)と、この胴部(1)の上部の両側に連結されて腕を挿通する袖部(2)とを有する上衣であって、
胴部(1)は、下部の周囲に沿って複数の挿通孔(12)が開口されると共に、これらの挿通孔(12)に紐(8)を挿通しており、この紐(8)は、胴部(1)の外側から内側に向かって挿通する状態と、胴部(1)の内側から外側に向かって挿通する状態とを交互に繰り返して隣接する挿通孔(12)に順に挿通されて、胴部(1)の内側に複数の表出連結部(8A)を形成しており、
上衣を脱いだ状態において、胴部(1)の内側の表出連結部(8A)を連結部材(14)で連結して、胴部(1)の下部に落下防止部(13)を形成し、胴部(1)の内部を収納スペースとして収納物を収納することを特徴とするバッグに転用できる上衣。
【請求項３】
体の胴体部分を被覆する胴部(1)と、この胴部(1)の上部の両側に連結されて腕を挿通する袖部(2)とを有する上衣であって、
胴部(1)は、下部の内周に沿って紐(8)を配設すると共に、この紐(8)で胴部(1)の内側に複数の表出連結部(8A)を形成しており、
上衣を脱いだ状態において、胴部(1)の内側の表出連結部(8A)を連結部材(14)で連結して、胴部(1)の下部に落下防止部(13)を形成し、胴部(1)の内部を収納スペースとして収納物を収納することを特徴とするバッグに転用できる上衣。
【請求項４】
連結部材(14)が１本の線材で、この線材で胴部(1)の内側の表出連結部(8A)を連結して落下防止部(13)を形成してなる請求項２または３に記載されるバッグに転用できる上衣。
【請求項５】
連結部材(14)が網材またはシート材で、この網材またはシート材の周縁を胴部(1)の内側の表出連結部(8A)に連結して落下防止部(13)を形成してなる請求項２または３に記載されるバッグに転用できる上衣。
【請求項６】
胴部(1)が、前面を左右に２分割しており、互いの分割部(1A)を開閉自在に連結してなる請求項１ないし３のいずれかに記載されるバッグに転用できる上衣。
【請求項７】
胴部(1)が前面の上部に、上側開口部(4)から下方に延長してなる開口部(21)を有し、この開口部(21)を開閉自在に連結してなる請求項１ないし３のいずれかに記載されるバッグに転用できる上衣。
【請求項８】
２つの袖部(2)の先端部を互いに連結して提げ部(16)を形成することを特徴とする請求項１ないし７のいずれかに記載されるバッグに転用できる上衣。
【請求項９】
袖部(2)の先端部を  胴部(1)の上部に連結して提げ部(16)を形成することを特徴とする請求項１ないし７のいずれかに記載されるバッグに転用できる上衣。
【請求項１０】
袖部(2)の先端部を、胴部(1)の下部に連結して提げ部(16)を形成することを特徴とする請求項１ないし７のいずれかに記載されるバッグに転用できる上衣。
【考案の詳細な説明】
【技術分野】
【０００１】
本考案は、スエットシャツやスエットパーカー等の上衣を、脱いだ状態において、バッグに転用して便利に使用できる上衣に関する。
【背景技術】
【０００２】
従来、スエットシャツ、スエットパーカー、セーター、ジャケット、フリース等の身につける上衣として種々の構造、形状のものが使用されている。これらの上衣は、身につける各人のファッション性や好みにより、適宜に選択されて着用される。しかしながら、外出中に、天候や寒暖等の変化により、上衣を着る必要がなくなることがある。このようなとき、通常、脱いだ上衣を手に掛けて持ち歩いている。ただ、このとき、脱いだ上衣は邪魔な荷物となり、また、手持ちの荷物等がある場合には、さらに荷物が増えることになって極めて不便である。
【０００３】
このような問題点を解消するために、脱いだ衣服をコンパクトに折り畳んで収納できる被覆が開発されている（特許文献１参照）。この被覆は、脱いだ状態で裏返してコンパクトに落ち畳んでバッグ状にし、提手にて持ち運びできるようにしている。
【特許文献１】特開２００３−１３３０９号公報
【考案の開示】
【考案が解決しようとする課題】
【０００４】
この構造の被覆は、脱いだ状態においてコンパクトに折り畳んでバッグ状にできると共に、提手を有するので、この提手を持ってるので便利に持ち運びできる特長がある。しかしながら、この被覆は、持ち運びする被覆の体積は小さくなり、また提手によって楽に持ち運びはできるが、荷物が増えることには変わりがなく、折り畳まれた被覆が邪魔になって必ずしも便利には使用できない。
【０００５】
本考案は、このような要請に鑑みてなされたものである。本考案の重要な目的は、外出時に、脱いだ上衣が邪魔になるのを防止して、極めて便利に活用できるバッグに転用できる上衣を提供することにある。
【課題を解決するための手段】
【０００６】
本考案の請求項１のバッグに転用できる上衣は、体の胴体部分を被覆する胴部１と、この胴部１の上部の両側に連結されて腕を挿通する袖部２とを有する。胴部１は、下部の横断面に沿って紐８を配設している。この上衣は、脱いだ状態において、紐８の両端を引っ張って胴部１の下部を絞る状態で閉塞して落下防止部１３を形成し、胴部１の内部を収納スペースとして収納物を収納する。
本明細書において、胴部１の横断面とは、上衣を身に付けた状態で、背骨に垂直な面で胴部１を切断した断面を意味するものとする。
【０００７】
本考案の請求項２のバッグに転用できる上衣は、体の胴体部分を被覆する胴部１と、この胴部１の上部の両側に連結されて腕を挿通する袖部２とを有する。胴部１は、下部の周囲に沿って複数の挿通孔１２を開口しており、これらの挿通孔１２に紐８を挿通している。この紐８は、胴部１の外側から内側に向かって挿通する状態と、胴部１の内側から外側に向かって挿通する状態とを交互に繰り返して隣接する挿通孔１２に順に挿通されて、胴部１の内側に複数の表出連結部８Ａを形成している。この上衣は、脱いだ状態において、胴部１の内側の複数の表出連結部８Ａを連結部材１４で連結して、胴部１の下側開口部５に落下防止部１３を形成し、胴部１の内部を収納スペースとして収納物を収納する。
【０００８】
本考案の請求項３のバッグに転用できる上衣は、体の胴体部分を被覆する胴部１と、この胴部１の上部の両側に連結されて腕を挿通する袖部２とを有する。胴部１は、下部の内周に沿って紐８を配設しており、この紐８で胴部１の内側に複数の表出連結部８Ａを形成している。この上衣は、脱いだ状態において、胴部１の内側の複数の表出連結部８Ａを連結部材１４で連結して、胴部１の下部に落下防止部１３を形成し、胴部１の内部を収納スペースとして収納物を収納する。
【０００９】
本考案の請求項４のバッグに転用できる上衣は、連結部材１４を１本の線材として、この線材で胴部１の内側の表出連結部８Ａを連結して落下防止部１３を形成している。さらに、本考案の請求項５のバッグに転用できる上衣は、連結部材１４を網材またはシート材として、この網材またはシート材の周縁を胴部１の内側の表出連結部８Ａに連結して落下防止部１３を形成している。
【００１０】
本考案の請求項６のバッグに転用できる上衣は、胴部１の前面を左右に２分割しており、互いの分割部１Ａを開閉自在に連結している。さらに、本考案の請求項７のバッグに転用できる上衣は、胴部１の前面の上部に、上側開口部４から下方に延長してなる開口部２１を有し、この開口部２１を開閉自在に連結している。
【００１１】
本考案の請求項８のバッグに転用できる上衣は、２つの袖部２の先端部を互いに連結して提げ部１６を形成している。さらに、本考案の請求項９のバッグに転用できる上衣は、袖部２の先端部を  胴部１の上部に連結して提げ部１６を形成している。さらにまた、本考案の請求項１０のバッグに転用できる上衣は、袖部２の先端部を、胴部１の下部に連結して提げ部１６を形成している。
【考案の効果】
【００１２】
本考案の請求項１の上衣は、胴部の下部に、横断面に沿って紐を配設しており、この紐の両端を引っ張って胴部の下部を絞る状態で閉塞して落下防止部を形成し、胴部の内部を収納スペースとするので、極めて簡単な構造でバッグに転用して便利に使用できる特長がある。とくに、この構造は、小さな収納物であっても、収納スペースから落下するのを有効に防止しながら持ち運びできる。
【００１３】
さらに、本考案の請求項２の上衣は、胴部の下部の周囲に沿って複数の挿通孔を開口すると共に、これらの挿通孔から胴部の内外に交互に繰り返して紐を挿通しており、胴部の内側に形成される複数の表出連結部を連結部材で連結して落下防止部を形成し、胴部の内部を収納スペースとするので、極めて簡単な構造でバッグに転用して便利に使用できる特長がある。とくに、この構造は、収納スペースを広くして内部の空間を有効に利用できる。
【００１４】
さらに、本考案の請求項３の上衣は、胴部の下部の内周に沿って紐を配設しており、この紐で胴部の内側に形成される複数の表出連結部を連結部材で連結して落下防止部を形成し、胴部の内部を収納スペースとするので、極めて簡単な構造でバッグに転用して便利に使用できる特長がある。とくに、この上衣は、紐を胴部の内側に配設して外側から見えなくできるので、すっきりとした外観にできる。
【考案を実施するための最良の形態】
【００１５】
以下、本考案の実施例を図面に基づいて説明する。ただし、以下に示す実施例は、本考案の技術思想を具体化するためのバッグに転用できる上衣を例示するものであって、本考案は上衣を以下のものに特定しない。
【００１６】
さらに、この明細書は、実用新案登録請求の範囲を理解し易いように、実施例に示される部材に対応する番号を、「実用新案登録請求の範囲」、および「課題を解決するための手段の欄」に示される部材に付記している。ただ、実用新案登録請求の範囲に示される部材を、実施例の部材に特定するものでは決してない。また、各図面が示す部材の大きさや位置関係などは、説明を明確にするため誇張していることがある。さらに、本考案を構成する各要素は、複数の要素を同一の部材で構成して一つの部材で複数の要素を兼用する態様としてもよい。
【００１７】
図１ないし図４に示す上衣は、体の胴体部分を被覆する胴部１と、この胴部１の上部の両側に連結されて腕を挿通する袖部２とを有する。
【００１８】
図１ないし図３に示す上衣は、胴部１を筒状としている。筒状の胴部１は、上端縁の両側部の前後を互いに連結して肩部３とすると共に、中央部分には、頭部を貫通させる上側開口部４を開口している。この構造の上衣は、下側開口部５から上衣をかぶり、上側開口部４に頭部を貫通させると共に、袖部２に腕を通して上半身に装着される。このタイプの上衣として、スエットシャツ（通称トレーナー）やスエットパーカー、セーター、フリース等が使用できる。
【００１９】
図４に示す上衣は、胴部１の前面を左右に２分割しており、それぞれの分割部１Ａの対向する側縁を脱着連結具６を介して連結している。この上衣は、分割部１Ａの対向する側縁に沿って脱着連結具６を設けており、この脱着連結具６で前面を開閉できるようにしている。脱着連結具６で閉塞される前面の上方には、上側開口部４を設けており、この上側開口部４の両側を肩部３として胴部１の前後を連結している。図に示す上衣は、脱着連結具６としてファスナーを設けている。この上衣は、ファスナーを上げ下げして、極めて簡単に前面を開閉できる。ただ、脱着連結具は、必ずしもファスナーとする必要はなく、ボタンやホック、面ファスナー等の脱着自在に連結できる他の全てのものが採用できる。この構造の上衣は、袖部２に腕を通して胴部１を身にまとい、必要に応じて、体の前面において脱着連結具６を連結して装着される。このタイプの上衣として、ジャケット、カーディガン、ジャージ等が使用できる。
【００２０】
本考案の上衣は、脱いだ状態において、胴部１の内部に収納スペースを設けて、ここに収納物を収納できるバッグに転用することを特徴としている。したがって、上衣としての形状や様式、生地の素材等を問わない。本考案は、上衣の形状、様式、素材に関わらずバッグに転用することができる。
【００２１】
図１ないし図４に示す上衣は、胴部１の下部に、横断面に沿って紐８を配設している。図１、図２及び図４に示す上衣は、胴部１の下側開口部５に沿って紐８を配設している。この位置に紐８を配設する胴部１は、胴部１の内部に形成される収納スペースを広くできる特長がある。ただ、胴部１の紐８は、図３に示すように、胴部１の下端から多少離れた位置に配設することもできる。この位置に紐８を配設する胴部１は、収納スペースに荷物を収納した状態で、胴部全体が荷物の重みで伸びるのを有効に防止できる特長がある。
【００２２】
胴部１の紐８は、胴部１の表面に沿って移動できる状態で配設される。紐８の先端を引っ張って、胴部１を絞る状態とするためである。図に示す紐８の両端は、胴部１の前方あるいは側方において、胴部１の外側あるいは内側に引き出されており、これらの先端部分を引っ張りやすくしている。図に示す紐８の先端には、留め具９を設けており、紐８の先端が胴部１の内部に引き込まれるのを防止している。ただ、紐の先端には留め具を設けることなく、結び目を設けて紐の先端が胴部の内部に引き込まれるのを防止することもできる。
【００２３】
図１に示す胴部１は、図５に示す構造で、下側開口部５に沿って紐８を配設している。この図の胴部１は、下端部を折り返して筒部１０ができる状態に縫製し、この筒部１０の内部に紐８を配設している。
【００２４】
図４に示す胴部１は、図６に示す構造で、下側開口部５に沿って紐８を配設している。図の胴部１は、内側に沿って複数の紐通し部１１を設けており、この紐通し部１１に紐８を挿通して、紐８を胴部１の内側に配設している。複数の紐通し部１１は、等間隔に配置している。この紐通し部１１は布片で、上下の端部を胴部１に縫着して中間に紐８を挿通できる筒部１０を設けている。ただ、紐通し部は、図示しないが、胴部の外周に沿って設けて、この紐通し部に紐を挿通することもできる。
【００２５】
図２に示す胴部１は、図７に示す構造で、下側開口部５に沿って紐８を配設している。図７の胴部１は、下部の周囲に沿って複数の挿通孔１２を開口しており、これらの挿通孔１２に紐８を挿通している。胴部１に挿通される紐８は、胴部１の外側から内側に向かって挿通する状態と、胴部１の内側から外側に向かって挿通する状態とを交互に繰り返して隣接する挿通孔１２に順に挿通している。さらに、図３に示す胴部１も、図７に示す構造と同様にして、胴部１に紐８を挿通している。
【００２６】
ただ、胴部の紐は、胴部の表面に沿って移動でき、両端を引っ張って胴部を絞ることができる他の全ての構造で配設することができる。また、胴部の紐は、必ずしも紐全体が胴部の表面に沿って移動できる構造とする必要はなく、紐の中間部を胴部に縫着等によって固定することもできる。たとえば、紐の中間部を胴部に固定しても、紐の両端を引っ張って胴部を絞ることができるからである。
【００２７】
胴部１に配設される紐８は、図１の矢印Ａで示すように、両端を引っ張って胴部１の下部を絞ることができる。紐８によって下部が絞られる胴部１は、図８に示すように、下部の開口部が閉塞されて落下防止部１３が形成される。このように、下方に落下防止部１３が設けられる胴部１は、内部を収納スペースとして、収納される収納物が落下するのを防止できる。両端を引っ張って胴部１から引き出された紐８は、絞り部である落下防止部１３が弛まないように、胴部１の外側で結んでいる。
【００２８】
さらに、図６と図７に示すように、内側に表出する状態で紐８が配設される胴部１は、この表出部分を連結して、図９と図１０に示す構造の落下防止部１３を形成することもできる。図６に示す胴部１は、内周に固定された複数の紐通し部１１の間から紐８が表出している。この表出部分を表出連結部８Ａとして互いに連結し、胴部１の下部に落下防止部１３を形成する。さらに、図７に示す胴部１は、外側と内側とに交互に表出する状態で紐８を配設している。この紐８の内側に表出する部分を表出連結部８Ａとして互いに連結し、胴部１の下部に落下防止部１３を形成する。
【００２９】
図９に示す落下防止部１３は、連結部材１４を１本の線材としており、この線材で胴部１の内側に表出する複数の表出連結部８Ａを互いに連結している。線材である連結部材１４は、互いに対向する位置にある表出連結部８Ａ同士を連結して、網目状の落下防止部１３を形成している。網目状の落下防止部１３は、衣服や雑誌等の大きな荷物を落下しないように便利に保持できる。図の表出連結部８Ａは、内側に突出する形状に湾曲されており、ここに連結部材１４である線材を挿通して表出連結部８Ａを連結部材１４で連結している。線材である連結部材１４は、図に示す状態から強く引っ張る状態で張設して、紐８の表出連結部８Ａと連結部材１４とで、より細かな網目状とすることができる。図示しないが、紐８の先端部は、紐８が弛まないように、胴部１の外側で結ばれる。このように、連結部材１４を１本の線材とする構造は、極めて簡素な部材を使用して、簡単に胴部１の下部に落下防止部１３を形成することができる。ただ、連結部材は、複数本の線材とすることもできる。
【００３０】
さらに、落下防止部１３は、図１０に示す構造とすることもできる。この図に示す落下防止部１３は、連結部材１４を１枚の網材としており、この網材の周囲を胴部１の内側に表出する複数の表出連結部８Ａに連結している。網材は、周囲に連結フック１５を有し、この連結フック１５を表出連結部８Ａに連結して、網目状の落下防止部１３を形成している。網材には、たとえば、ゴム紐等の紐材を編み組みしたものが使用できる。このように、連結部材１４を網材とする構造は、落下防止部１３の網目の大きさを最適なものに選択して収納物が落下するのを確実に防止できる。また、網材の周囲に脱着自在な連結フック１５を設けることによって、簡単かつ容易に着脱できる特長がある。図示しないが、この紐８の先端部も、弛まないように、胴部１の外側で結ばれる。
【００３１】
ただ、連結部材は、図示しないが、網材にかわってシート材を使用することもできる。このシート材も周囲に設けた連結フック等を介して表出連結部に連結できる。連結部材をシート材とする構造は、小さな収納物であっても落下を有効に防止できる特長がある。
【００３２】
以上の構造のバッグに転用できる上衣は、図８、図１１及び図１２に示すように、バッグとなる胴部１を提げて持ち運びするための提げ部１６を、袖部２を利用して形成する。
【００３３】
図８は、図１に示す上衣をバッグに転用する一例を示している。この図に示すバッグは、図１に示す上衣の２本の袖部２の先端を矢印Ｂで示す方向に移動して、２本の袖部２の先端部を互いに連結して提げ部１６を設けている。図１に示す上衣は、袖部２の先端部に連結紐１７を配設しており、この連結紐１７を互いに結んで２本の袖部２を連結できるようにしている。ただ、２本の袖部は、連結紐に代わって、脱着連結具を設けて互いに連結することもできる。この脱着連結具には、たとえば、弾性変形するフックとこのフックを引っかける引掛部を有する一対の連結具を使用して、ワンタッチで脱着できる。さらに、２本の袖部は、連結紐や連結具を介することなく、袖部の先端部同士を直接結んで連結することもできる。
【００３４】
このように、２本の袖部２の先端を胴部１の上方で互いに連結して提げ部１６を設けるバッグは、提げ部１６を十分な長さにできるので、肩から提げるショルダータイプのバッグとして便利に使用できる。ただ、２本の袖部は、必ずしも先端部で連結する必要はなく、中間部で連結して、提げ部の長さを調節することもできる。提げ部が短いバッグは、手や腕に提げて便利に持ち運びできる。
【００３５】
図１１は、図２に示す上衣をバッグに転用する一例を示している。この図に示すバッグは、図２に示す上衣の２本の袖部２を矢印Ｃで示す方向に移動させて、胴部１の前面下部に設けたポケット１８の内部で互いの先端部を連結して提げ部１６を設けている。この図のバッグは、提げ部１６を肩に通して装着するリュックタイプのバッグとして便利に使用できる。さらに、図４に示す上衣も、２本の袖部２の先端を矢印Ｄで示す方向に移動させて、胴部１の下端部に連結して提げ部１６を設ける構造としている。２本の袖部２の先端と胴部１の下端部には、互いに連結できる連結具１９を設けており、この連結具１９を介して脱着自在に連結できるようにしている。この図に示すバッグも、図１１に示すバッグと同様に、提げ部１６を肩に通して装着するリュックタイプのバッグとして便利に使用できる。
【００３６】
図１２は、図３に示す上衣をバッグに転用する一例を示している。この図に示すバッグは、図３に示す上衣の２本の袖部２を矢印Ｅで示す方向に移動させて、胴部１の上部の肩部３に設けた連結部２０に、袖部２の先端部を連結して提げ部１６を設けている。この図のバッグは、袖部２をループ状にして提げ部１６を設けている。この構造のバッグは、トートバッグやハンドバッグタイプのバッグとして便利に使用できる。さらに、図３の上衣は、胴部１の前面の上部に、上側開口部４から下方に延長してなるスリット状の開口部２１を設けており、この開口部２１にファスナー等の脱着連結具２２を設けて開閉自在に連結できるようにしている。このように、上方開口部４に開口部２１を備える上衣は、バッグとして使用するときに、この開口部２１を開いて、収納物の出し入れを楽にできる特長がある。
【００３７】
ただ、本考案は、胴部の下側開口部に落下防止部を設けて内部に収納スペースを構成する構造と、袖部で提げ部を形成する構造の組み合わせを、以上の実施例に特定しない。本考案の上衣は、図８ないし図１０に示す胴部の内部に収納スペースを設ける構造と、図１〜図４、図８、図１１及び図１２に示す袖部で提げ部を形成する構造を種々に組み合わせてバッグに転用することができる。
【図面の簡単な説明】
【００３８】
【図１】本考案の実施例１にかかるバッグに転用できる上衣の正面図である。
【図２】本考案の実施例２にかかるバッグに転用できる上衣の正面図である。
【図３】本考案の実施例３にかかるバッグに転用できる上衣の正面図である。
【図４】本考案の実施例４にかかるバッグに転用できる上衣の正面図である。
【図５】図１に示す上衣の胴部に紐を配設する構造を示す拡大断面図である。
【図６】図４に示す上衣の胴部に紐を配設する構造を示す拡大断面図である。
【図７】図２に示す上衣の胴部に紐を配設する構造を示す拡大斜視図である。
【図８】本考案の実施例１の上衣をバッグに転用する状態を示す正面図である。
【図９】胴部の下部に設けられる落下防止部の一例を示す平面図である。
【図１０】胴部の下部に設けられる落下防止部の他の一例を示す平面図である。
【図１１】本考案の実施例２の上衣をバッグに転用する状態を示す正面図である。
【図１２】本考案の実施例３の上衣をバッグに転用する状態を示す正面図である。
【符号の説明】
【００３９】
１…胴部                １Ａ…分割部
２…袖部
３…肩部
４…上側開口部
５…下側開口部
６…脱着連結具
８…紐                  ８Ａ…表出連結部
９…留め具
１０…筒部
１１…紐通し部
１２…挿通孔
１３…落下防止部
１４…連結部材
１５…連結フック
１６…提げ部
１７…連結紐
１８…ポケット
１９…連結具
２０…連結部
２１…開口部
２２…脱着連結具
【図１】
0003103723.tif 000003
【図２】
0003103723.tif 000004
【図３】
0003103723.tif 000005
【図４】
0003103723.tif 000006
【図５】
0003103723.tif 000007
【図６】
0003103723.tif 000008
【図７】
0003103723.tif 000009
【図８】
0003103723.tif 000010
【図９】
0003103723.tif 000011
【図１０】
0003103723.tif 000012
【図１１】
0003103723.tif 000013
【図１２】
0003103723.tif 000014